(57)【要約】【課題】画像表示装置の機能を損なうことなく、画像表示装置を用いて画像を焼き付ける場合に、彩度が低下するのを防止すると共に、プリントされた画像のざらつきを抑制することができる画像焼き付け装置を提供する。【解決手段】液晶表示装置２８に画像を表示し、光学系によって表示された画像を印画紙４８に縮小して結像する。このとき、タイミングベルト３４により複数の偏心カムを同期させて回転させ、レンズ保持部４４を微小半径の回転運動で振動させて、印画紙４８上に結像された画像を微小半径で均等に円運動させる。これにより、液晶表示装置２８の仕切り部による網状の細線を画像で埋めて彩度を向上させると共に、液晶セル間の隙間によるプリント画像のざらつきを防止する。しかも、液晶表示装置２８が振動により故障することがない。【選択図】図１
2004020865.tif 000002
【特許請求の範囲】
【請求項１】
画像を表示する画像表示装置と、
前記画像表示装置に表示された画像を縮小して感光材料に結像させる光学系と、
前記光学系を光軸周りに微小振動させる振動手段と、
を備えた画像焼き付け装置。
【請求項２】
前記振動手段は、前記光学系を微小半径の円運動で振動させる請求項１に記載の画像焼き付け装置。
【請求項３】
前記振動手段を、前記光学系の支持枠に回転可能に支持された複数の偏芯カムと、前記偏芯カムを同期して回転させるタイミングベルトとで構成した請求項１又は２に記載の画像焼き付け装置。
【請求項４】
前記振動手段を、前記光学系を該光学系の光軸と回転軸とが偏芯するように支持すると共に支持枠に回転可能に支持されたハウジングと、前記ハウジングを回転させるギアとで構成した請求項１又は２に記載の画像焼き付け装置。
【発明の詳細な説明】
【０００１】
【発明の属する技術分野】
本発明は、画像焼付け装置に係り、特に、画像表示装置に表示された画像を印画紙に焼き付ける画像焼き付け装置に関する。
【０００２】
【従来の技術】
従来より、ポストカードに使用されるカラープリント等のカラープリントを作成するために、カラー液晶表示装置を用いた画像焼き付け装置が知られている。この画像焼き付け装置では、カラー液晶表示装置にネガ画像やポジ画像を表示し、光源から光を照射してカラー液晶表示装置を透過させ、透過した光をレンズによって印画紙上に集光させることにより、カラー液晶表示装置に表示された画像を印画紙上に結像させて焼き付けている。
【０００３】
このカラー液晶表示装置は、図６に示すように、マトリクス状に配列された１画素毎の液晶セル１０の内部にＲＧＢ３色のフィルタ１２Ｒ、１２Ｇ、１２Ｂを配置して構成され、各液晶セル間及び各フィルタ間には配線等による仕切り部１４が設けられている。
【０００４】
この画像焼き付け装置では、カラー液晶表示装置に表示された画像を印画紙に結像させたときに、仕切り部１４の存在により陰ができ、ポジプリントを作成する場合に、この陰の部分が白い網状の細線となって焼き付けられ、プリントされる画像の高濃度部の濃度が低下し、彩度が低下するという問題があった。
【０００５】
この問題を解決するために、特開平１１−１４２９７８号公報には、液晶表示装置、光学系、及び感光材料の少なくとも１つを左右に振動させる振動機構を備えた画像焼き付け装置が記載されている。この画像焼き付け装置では、結像された画像を図７に示すように液晶表示装置等を左右に微小振動させて仕切り部１４による網状の細線をぼけさせることにより、彩度を向上させている。
【０００６】
また、特開２００２−８２３９０号公報には、液晶表示装置が円運動するように微小振動させる振動機構を備えた画像焼き付け装置が記載されている。この画像焼き付け装置では、仕切り部に沿った一方向へ振動させることのみならず、偏芯カムを用いて液晶表示装置が円運動するように微小振動させて、仕切り部１４による網状の細線をぼけさせることにより、彩度を向上させている。
【０００７】
【発明が解決しようとする課題】
しかしながら、液晶表示装置を振動させる従来の画像焼き付け装置では、液晶表示装置に故障が発生する、電気的ノイズが発生するという問題がある。また、ベルトやプーリを用いた振動機構に起因して発生した静電気による集塵効果で、液晶表示装置の表面に塵埃が付着し易いという問題がある。
【０００８】
また、液晶表示装置等を左右に振動させる従来の画像焼き付け装置では、液晶表示装置等を仕切り部に沿った一方向へ振動させることになるため、図７のＡ部に示すように振動方向と平行に隙間が生じ、この隙間により、プリントされる画像にざらつきが生じるという問題がある。
【０００９】
本発明は上記問題を解決するためになされたものであり、本発明の目的は、画像表示装置の機能を損なうことなく、画像表示装置を用いて画像を焼き付ける場合に、彩度が低下するのを防止すると共に、プリントされた画像のざらつきを抑制することができる画像焼き付け装置を提供することにある。
【００１０】
【課題を解決するための手段】
上記目的を達成するために本発明の画像焼き付け装置は、画像を表示する画像表示装置と、前記画像表示装置に表示された画像を縮小して感光材料に結像させる光学系と、前記光学系を光軸周りに微小振動させる振動手段と、を備えたことを特徴としている。
【００１１】
本発明では、カラー液晶表示装置やモノクロ液晶表示装置等の画像表示装置に画像を表示し、光学系によって画像表示装置に表示された画像を印画紙等の感光材料に縮小して結像する。画像表示装置としては、透過型の液晶表示装置を使用することができる。そして、振動手段によって、光学系を光軸周りに微小振動させる。これにより、感光材料に結像された画像を同じく光軸周りに微小振動させることができる。光軸周りに微小振動させる方法としては、例えば、微小半径の円運動で振動させる方法が挙げられる。
【００１２】
このように感光材料に結像された画像を光軸周りに微小振動させることにより、仕切り部による網状の細線を画像によって埋めて見えにくくさせ、プリントした画像の見かけ上のコントラストレベルを上げて、彩度を向上させることができる。また、この円運動により各液晶セル間の隙間をなくし、プリントされた画像にざらつきが生じるのを防止することができる。
【００１３】
また、画像表示装置を振動させる場合と比べると、振動により画像表示装置に故障が発生する等の不具合がなく、画像表示装置の機能が損なわれることがない。
【００１４】
上記の画像焼き付け装置において、光学系を振動させる振動手段を、光学系の支持枠に回転可能に支持された複数の偏芯カムと、この偏芯カムを同期して回転させるタイミングベルトとで構成することができる。光学系の支持枠に回転可能に支持された複数の偏芯カムを、タイミングベルトにより同期させて回転させることにより、複数箇所に設けられた偏芯カムが同じタイミングで回転し、光学系を微小半径の回転運動で振動させるので、光学系の何れの画素位置においても均等の振幅で円運動させることができる。これにより、感光材料に結像された画像を微小の振幅で楕円運動又は円運動させることができる。
【００１５】
また、光学系を振動させる振動手段を、光学系を該光学系の光軸と回転軸とが偏芯するように支持すると共に支持枠に回転可能に支持されたハウジングと、このハウジングを回転させるギアとで構成することができる。光軸と回転軸とが偏芯するように光学系を支持するハウジングを、ギアによって回転させることにより、このハウジングに支持された光学系が回転し、光学系を微小半径の回転運動で振動させるので、光学系の何れの画素位置においても楕円運動又は円運動させることができる。
【００１６】
なお、画像表示装置に表示された画像が縮小されて感光材料に結像されるため、画像表示装置に表示された画像を等倍、または拡大して焼き付ける場合と比較して、高い解像度の画像を焼き付けることができる。また、光学系を光軸周りに微小振動させて感光材料に結像された画像を微小振動させる場合に、光学系の振動振幅がある程度大きくても、結像された画像の振動振幅を小さくすることができる。
【００１７】
【発明の実施の形態】
以下、図面を参照して本発明の実施の形態を詳細に説明する。
（第１の実施の形態）
図１に示すように、本実施の形態に係る画像焼き付け装置のハウジング２０内には、ランプ及びリフレクターから構成された光源２２が配置されている。光源２２の光照射側には、ＩＲカットフィルタ２４、ＣＭＹの３つのフィルタで構成された調光フィルタ２６が順に配置されている。
【００１８】
ハウジング２０上面の光路上には、カラー液晶表示パネルで構成されたカラー液晶表示装置２８が配置されている。このカラー液晶表示装置２８は、四隅が支持柱３０によって支持され、ハウジング２０の上方に固定配置されている。
【００１９】
カラー液晶表示装置２８は、カラー液晶表示装置２８にディジタル画像データを供給して画像を表示するパーソナルコンピュータ４２に接続されている。パーソナルコンピュータ４２には、予めカラーネガフィルムやカラーポジフィルムをスキャナによって読み取ったディジタル画像データ、このディジタル画像データと文字データとを組み合わせたディジタル画像データ、ＣＧによって作成されたディジタル画像データ等のプリントを作成するためのディジタル画像データが記憶されている。
【００２０】
カラー液晶表示装置２８の光透過側には、結像レンズ系を保持する円筒状のレンズ保持部４４、ブラックシャッタ４６、及び印画紙４８が順に配置されている。そして、調光フィルタ２６はドライバ２７を介してマイクロコンピュータ等で構成された制御装置５０に接続され、モータ３８、及びブラックシャッタ４６も制御装置５０に接続されている。
【００２１】
図１〜図３に示すように、レンズ保持部４４は、図示しない弾性支持体により支持された支持枠３１に固定され、支持枠３１により揺動可能に支持されている。支持枠３１の上方には、該支持枠３１と対向するように支持枠２９が配置されている。支持枠２９の中央部には、レンズ保持部４４の径より大きな径の円形の開口４５が設けられており、支持枠２９は、レンズ保持部４４が開口４５を貫通するように、図示しない支持体により支持されている。
【００２２】
この支持枠２９の四隅の各々には、支持枠２９を貫通する軸３５が設けられている。軸３５の上端にはプーリ３２が固定されており、プーリ３２には、後述するタイミングベルト３４の突起（図示せず）と係合する溝３２Ａが設けられている。また、軸３５の他端には偏芯カム３６が固定されている。なお、各々の偏芯カム３６は、軸３５、即ち、回転中心に対して液晶約０．５画素分偏芯した位置に固定されるのが好ましい。
【００２３】
レンズ保持部４４を支持する支持枠３１には円形の溝３３が設けられ、偏芯カム３６はこの溝３３に嵌り、支持枠３１が偏芯カム３６の回転に従動して円運動するようになっている。
【００２４】
また、支持枠２９の周辺部には、モータ支持台３９を介してモータ３８が固定されている。そして、プーリ３２とモータ３８の出力軸４０とはタイミングベルト３４により連結されている。
【００２５】
モータ３８を駆動させ、タイミングベルト３４を回転させると、このタイミングベルト３４の回転に伴って４つの偏芯カム３６が同期して回転する。偏芯カム３６の回転に従動して支持枠３１が偏芯カムの偏芯量を半径として円運動し、この支持枠３１を介してレンズ保持部４４、ひいてはレンズ保持部４４に保持された結像レンズ系が、偏芯カム３６の偏芯量を半径として円運動する。
【００２６】
本実施の形態によれば、調光フィルタ２６を制御して光源から照射された光を調整した後、パーソナルコンピュータ４２からカラー液晶表示装置２８にディジタルデータを供給して焼き付ける画像を表示する。また、モータ３８を回転させてタイミングベルト３４を回転させ、４つの角部に位置する偏芯カム３６を同期して回転させることにより、偏芯カム３６の偏芯量を半径としてレンズ保持部４４を円運動させる。なお、上記したように偏芯カム３６の偏芯量は液晶０．５画素分程度とされていることから、この円運動の振幅は液晶１画素分となる。
【００２７】
この状態でブラックシャッタ４６を露光時間に応じて開閉すると、光源２２から照射された光が、カラー液晶表示装置２８、レンズ保持部４４に保持された結像レンズ系、及びブラックシャッタ４６を介して印画紙４８に照射され、カラー液晶表示装置２８に表示された画像が印画紙４８に結像される。このとき、上述した通り、レンズ保持部４４に保持された結像レンズ系が偏芯カム３６の偏芯量程度の微小半径の円運動で振動されるので、印画紙に結像された画像は微小の振幅で楕円運動又は円運動され、カラー液晶表示装置２８の仕切り部１４による網状の細線像が画像によって埋められ見えにくくなる。これにより、見かけ上のプリントのコントラストレベルがあがり、彩度が向上する。
【００２８】
また、単に一方向に振動させるのではなく、複数の偏芯カム３６を用いて結像レンズ系を均等に円運動させていることから、図４に示すように振動の際に隙間が生じることがなく（即ち、画素間が補間され）、焼き付けられた印画紙を現像してプリントを作成したときに、プリントされた画像にざらつきが生じない。
【００２９】
また、カラー液晶表示装置２８自身を振動させずに済むので、液晶表示装置の機能は損なわれない。即ち、振動によりカラー液晶表示装置２８に故障が発生する、電気的ノイズが発生する、静電気の発生により装置表面に塵埃が付着する等の不具合が発生し難くなる。
【００３０】
更に、レンズ保持部４４はカラー液晶表示装置２８に比べて小型であるため、振動によりレンズ保持部４４に故障が発生した場合でも、交換が容易でメンテナンス性に優れている。
【００３１】
（第２の実施の形態）
第２の実施の形態に係る画像焼き付け装置は、レンズ保持部４４を円運動させるための機構を変更した以外は、図１に示す第１の実施の形態と同様の構成であるため、同一部分については説明を省略し、相違点のみ説明する。
【００３２】
この装置は、図５に示すように、底面を備えた円筒状のハウジング５０を備えている。ハウジング５０は、複数のベアリング５４を用いて、図示しない支持体により支持された支持枠５２に回転可能に支持されている。ハウジング５０の底面には、円形の開口が設けられている。円筒状のレンズ保持部４４はこの開口に嵌め込まれて、ハウジング５０の回転に従動して円運動するように構成されている。なお、円形の開口は、この開口にレンズ保持部４４が嵌め込まれた場合に、保持された結像レンズ系の光軸Ｂが、ハウジング５０の回転軸Ａから所定量ずれるように（即ち、偏芯するように）設けられている。なお、光軸Ｂの偏芯量は、回転軸Ａ、即ち、回転中心に対して０．０５ｍｍ程度が好ましい。
【００３３】
ハウジング５０上部の外周面には、後述するギア５６の各凸部と係合する図示しない溝が切られている。また、支持枠５２には、モータ支持台５８を介してモータ６０が固定されており、モータ６０の出力軸には、第１のギア６２が固定されている。そして、ハウジング５０とモータ６０の出力軸とが、第１のギア６２の各凸部と係合する溝が切られた第２のギア５６を介して連結されている。なお、モータ６０は制御装置５０に接続されている。
【００３４】
モータ６０を駆動させ、第１のギア６２を回転させると、この第１のギア６２の回転に伴って第２のギア５６が回転し、第２のギア５６の回転に伴ってハウジング５０が回転する。ハウジング５０の回転に従動して、レンズ保持部４４が回転軸Ａからの光軸の偏芯量を半径として円運動する。その結果、レンズ保持部４４に保持された結像レンズ系が、回転軸Ａからの光軸の偏芯量を半径として円運動する。
【００３５】
本実施の形態では、上述した通り、レンズ保持部４４に保持された結像レンズ系自身が回転し、回転軸Ａからの光軸の偏芯量程度の微小半径の円運動で振動されるので、印画紙に結像された画像は微小の振幅で楕円運動又は円運動され、カラー液晶表示装置２８の仕切り部１４による網状の細線像が画像によって埋められ見えにくくなる。これにより、見かけ上のプリントのコントラストレベルがあがり、彩度が向上する。
【００３６】
また、光学系を支持するハウジングを回転させて光学系を均等に円運動させていることから、図４に示すように振動の際に隙間が生じることがなく、焼き付けられた印画紙を現像してプリントを作成したときに、プリントされた画像にざらつきが生じない。
【００３７】
また、液晶表示装置の機能は損なわれない点、メンテナンス性に優れる点は、第１の実施の形態に係る画像焼き付け装置と同様である。
【００３８】
なお、上記第１及び第２の実施の形態では、光源と透過型の液晶表示装置とを組合わせて画像を表示する例について説明したが、有機ＥＬを用いた自己発光型の画像表示装置を用いることもできる。有機ＥＬを用いた画像表示装置においても、非発光領域の存在によりプリントされる画像の彩度が低下するという問題があるが、この問題が光学系を微小振動させることにより解消される。
【００３９】
また、上記第１及び第２の実施の形態では、光学系を所定半径の円運動させる例について説明したが、光学系を楕円状に運動させることもできる。また、相互に直交するｘｙ方向等、複数の方向に運動させるなど、所定方向に偏ることなく運動させてもよい。
【００４０】
【発明の効果】
以上説明したように本発明によれば、画像表示装置の機能を損なうことなく、画像表示装置の仕切り部による網状の細線像を画像によって埋めて見えにくくさせ、プリントした画像の見かけ上のコントラストレベルを上げて、彩度を向上させることができる、という効果が得られる。
【００４１】
また、各画素間を補間して、プリントされた画像にざらつきが生じるのを防止することができ、プリント品質を向上させることができるという効果が得られる。
【図面の簡単な説明】
【図１】第１の実施の形態に係る画像焼き付け装置の構成を示す概略図である。
【図２】第１の実施の形態に係る画像焼き付け装置のレンズ保持部周辺の構成を示す平面図である。
【図３】図２のＸ−Ｘ断面図である。
【図４】第１の実施の形態の液晶表示装置を円運動させた場合の液晶セルの様子を示す説明図である。
【図５】第２の実施の形態に係る画像焼き付け装置のレンズ保持部周辺の構成を示す概略図である。
【図６】カラー液晶表示装置の拡大図である。
【図７】従来のカラー液晶表示装置を振動させた場合の液晶セルの様子を示す説明図である。
【符号の説明】
２８　カラー液晶表示装置
２９、３１、５２　支持枠
３２　プーリ
３３　溝
３４　タイミングベルト
３６　偏芯カム
３８、６０　モータ
４４　レンズ保持部
４５　開口
５０　ハウジング
５６　第２のギア
６２　第１のギア
【図１】
2004020865.tif 000003
【図２】
2004020865.tif 000004
【図３】
2004020865.tif 000005
【図４】
2004020865.tif 000006
【図５】
2004020865.tif 000007
【図６】
2004020865.tif 000008
【図７】
2004020865.tif 000009